(57)【要約】【課題】  煩雑な作業を要することなく、連続的な画像の読み取り処理で、アナログプリントで得られる「ベタ焼きプリント」と同じく証明用に利用することのできるプリントを得ることができる画像処理装置を提供することを課題とする。【解決手段】  長尺な写真フィルムＦを長手方向に搬送しつつ、該写真フィルムＦに形成された複数の駒画像Ｋを読み取る読取手段１３を備えた画像処理装置において、前記読取手段１３は、写真フィルムＦの幅方向の読み取り幅が写真フィルムＦの幅以上に設定され、写真フィルムＦを長手方向に搬送しつつ先端から後端の全長に亘って連続した画像として読み取るように構成され、更に、読取手段１３で読み取った写真フィルムＦの全長に亘る画像に対する出力画像を作成するように構成された演算処理装置１４を備えていることを特徴とする。【選択図】図４
2006180107.tif 000002
【特許請求の範囲】
【請求項１】
長尺な写真フィルムを長手方向に搬送しつつ、該写真フィルムに形成された複数の駒画像を読み取る読取手段を備えた画像処理装置において、前記読取手段は、写真フィルムの幅方向の読み取り幅が写真フィルムの幅以上に設定され、写真フィルムを長手方向に搬送しつつ先端から後端の全長に亘って連続した画像として読み取るように構成され、更に、読取手段で読み取った写真フィルムの全長に亘る画像に対する出力画像を作成するように構成された演算処理装置を備えていることを特徴とする画像処理装置。
【請求項２】
演算処理装置は、予め入力した長さを基準に、写真フィルムの画像を先端側から分断して複数の帯状画像として切り出すと共に、該複数の帯状画像を配列して出力画像を作成するように構成されている請求項１記載の画像処理装置。
【請求項３】
演算処理装置は、写真フィルムの画像に対する分断位置に駒画像が存在するか否かを判断し、分断位置に駒画像が存在すると判断した場合に、該駒画像に対して写真フィルムの先端側で隣接する駒画像との間を分断位置に設定するように構成されている請求項２記載の画像処理装置。
【請求項４】
写真フィルムの先端から後端の全長に亘る画像を画像データとして記憶媒体に記憶する記憶手段を更に備えている請求項１乃至３の何れかに記載の画像処理装置。
【発明の詳細な説明】
【技術分野】
【０００１】
本発明は、長尺な写真フィルムに形成された複数の駒画像を画像データとして記憶したり、印画紙等の記録媒体に記録したりするために、写真フィルムから画像を読み取る画像処理装置に関する。
【背景技術】
【０００２】
近年、デジタル化が進み、写真フィルムに形成された駒画像を画像データとして読み取る画像処理装置が提供されている。かかる画像処理装置は、読み取った画像に対して色や濃淡の補正を施すことができる上に、その画像データを記憶したり、該画像データをプリント手段に送信してプリント出力したりできるように構成されている。かかる画像処理装置は、長尺な写真フィルムを長手方向に搬送しつつ、該写真フィルムに形成された駒画像を順々に読み取る読取手段を備えている。また、該画像処理装置は、読み取った画像をメディア等に記憶させるための記憶手段を備えていたり、読み取った画像を印画紙等の出力するプリント装置に電気的に接続されたりしている。
【０００３】
ところで、公共工事等において、現場等で撮影した写真が隠蔽や改ざん等がされていない（現場の状況に嘘偽りがない）ことを明らかにすべく、その写真の基となる写真フィルム全体（未撮影部分を含んだ撮影済みの写真フィルム）をそのままプリント出力する、いわゆる「ベタ焼きプリント」が要求される場合がある。
【０００４】
かかる場合、従来のアナログプリントにおいては、長尺な写真フィルム（実際の写真フィルム）を所定長さに切断して作成された複数本のピースネガを、ネガホルダーに収容したのと同じ態様となるように、露光台上に並列に配置し、パーフォレーション等を含めて写真フィルム全体をプリント（露光処理及び現像処理）するようにしている。一方、デジタルプリント（前記画像処理装置）の場合、上述の如く、読み取りの対象が各駒画像であるため、駒画像の縮小画像を並べたインデックスプリントを作成できるにしても、未撮影部分を含んだ画像を得ることができず、その読み取った画像データからアナログプリントのような「ベタ焼きプリント」、即ち、改ざん等がされていないことを証明するプリントを得ることができなかった。そのため、デジタルプリントでアナログプリントのベタ焼きプリントのようなプリントを得る場合には、フラットベッドスキャナーで、並列に配置した複数のピースネガを一枚の画像として読み取り、該画像（画像データ）を基にプリント装置で「ベタ焼きプリント」の如くプリントを得るようにしている。
【発明の開示】
【発明が解決しようとする課題】
【０００５】
しかしながら、ベタ焼きプリントが要求された場合、アナログプリント及びデジタルプリントの何れにおいても、写真フィルムを読み取る領域（写真フィルムを配置する領域）に限りがあり、長尺な写真フィルムをそのまま読み取ることができないため、写真フィルムを一定長さに切断したピースネガを作成しなければならなかった。その上、ピースネガからベタ焼きプリントを得るには、複数のピースネガを配列して焼き付け処理や画像の読み取り処理を行わなければならず、作業が繁雑である。特に、複数のピースネガをネガホルダーに収容したのと同じ態様で体裁良く配置することは非常に煩雑な作業である。
【０００６】
そこで、本発明は、斯かる実情に鑑み、煩雑な作業を要することなく、連続的な画像の読み取り処理で、アナログプリントで得られる「ベタ焼きプリント」と同じく証明用に利用することのできるプリントを得ることができる画像処理装置を提供することを課題とする。
【課題を解決するための手段】
【０００７】
本発明に係る画像処理装置は、長尺な写真フィルムを長手方向に搬送しつつ、該写真フィルムに形成された複数の駒画像を読み取る読取手段を備えた画像処理装置において、前記読取手段は、写真フィルムの幅方向の読み取り幅が写真フィルムの幅以上に設定され、写真フィルムを長手方向に搬送しつつ先端から後端の全長に亘って連続した画像として読み取るように構成され、更に、読取手段で読み取った写真フィルムの全長に亘る画像に対する出力画像を作成するように構成された演算処理装置を備えていることを特徴とする。なお、「写真フィルムの幅以上」とは、写真フィルムの幅よりも広い幅は勿論のこと、写真フィルムの幅と同一或いは略同一の幅を含む概念である。
【０００８】
上記構成の画像処理装置によれば、前記読取手段は、写真フィルムの幅方向の読み取り幅が写真フィルムの幅以上に設定されているので、写真フィルムのパーフォレーションを含んだ帯状の画像を得ることができる。その上、該読取手段は、写真フィルムを長手方向に搬送しつつ、先端から後端の全長に亘って連続した画像として読み取るように構成されているので、例えば、先端側の一部や後端側の一部に駒画像の形成されていない未撮影の部分があっても、それらの部分も画像として読み取ることができる。さらに、読取手段で読み取った写真フィルムの全長に亘る画像に対する出力画像を作成するように構成された演算処理装置を備えているので、出力画像（画像のデータ）を基に、写真フィルム一本分の画像をプリント出力することで、アナログプリントで得られるベタ焼きプリントと同じく証明に利用することのできる写真プリントを得ることができる。
【０００９】
本発明の一態様として、演算処理装置は、予め入力した長さを基準に、写真フィルムの画像を先端側から分断して複数の帯状画像として切り出すと共に、該複数の帯状画像を配列して出力画像を作成するように構成されてもよい。このようにすれば、上述の如く未撮影の部分と駒画像とを含む帯状画像と、駒画像が配列された帯状画像とが配列された出力画像を得ることができる。従って、出力画像は、アナログプリントで得られるベタ焼きプリントと同じ態様のものとなるので、該出力画像のデータを基にプリント出力すれば、デジタルプリントであってもアナログプリントのベタ焼きプリントと同様のプリントを得ることができる。
【００１０】
そして、演算処理装置は、写真フィルムの画像に対する分断位置に駒画像が存在するか否かを判断し、分断位置に駒画像が存在すると判断した場合に、該駒画像に対して写真フィルムの先端側で隣接する駒画像との間を分断位置に設定するように構成されることが好ましい。このようにすれば、駒画像が途中で切断されることがなく、駒画像を躱して切断することで得られるピースネガと同様に各帯状画像を形成することができる。
【００１１】
さらに、写真フィルムの先端から後端の全長に亘る画像を画像データとして記憶媒体に記憶する記憶手段を更に備えてもよい。このようにすれば、各駒画像に対する写真プリントに対して証明用の写真プリント（ベタ焼きプリント）が要求された場合、いわゆる紙出力での提供（ペーパー等の記録媒体での提供）と画像データとしての提供（メディア等の記憶媒体での提供）も可能となる。また、記憶された画像データは、写真フィルムの先端から後端の全長に亘る生データであるので、信頼性の高い証明用の画像データとして活用することができる。
【発明の効果】
【００１２】
本発明の画像処理装置によれば、煩雑な作業を要することなく、連続的な画像の読み取り処理で、アナログプリントで得られるベタ焼きプリントと同じく証明用に利用することのできる写真プリントを得ることができるという優れた効果を奏し得る。
【発明を実施するための最良の形態】
【００１３】
以下、本発明の一実施形態に係る画像処理装置について、添付図面を参照しつつ説明する。なお、本実施形態に係る画像処理装置は、一連の処理でプリント出力できるように、プリント手段が組み込まれた写真処理装置の一構成として採用されている。従って、以下の説明において、写真処理装置の全体を通じて画像処理装置について説明する。
【００１４】
本実施形態に係る写真処理装置は、図１及び図２に示す如く、写真フィルムＦやメディアＭから画像を取り込み、その取り込んだ画像に対して各種処理を行う画像処理装置としての画像処理部１と、該画像処理部１からの情報に基づき、プリント処理を施すプリント手段としてのプリント処理部２と、該プリント処理部２で作成されたプリントを回収する回収部３とを備えている。
【００１５】
前記画像処理部１は、各処理の処理状況や操作案内等を表示するモニター１０と、該モニター１０の表示に基づいて入力操作を行うための入力手段１１と、ＣＤ−Ｒ／ＲＷやメモリーカード等の各種メディア（記憶媒体）Ｍから画像データを読み込み可能に構成されると共に、作成されたデータをメディアＭに記憶させる記憶手段であるメディアドライブ１２と、写真フィルムＦから画像を読み取る読取手段であるフィルムスキャナー１３と、入力手段１１からの入力データや、メディアドライブ１２で読み込んだ画像データ、フィルムスキャナー１３で読み取った画像の画像データ等を適宜演算処理し、露光処理部２０の動作等を制御する演算処理装置（コンピュータ）１４とを備えている。なお、本実施形態に係る画像処理部１は、写真処理装置の一構成をなすため、画像処理部１の一構成である演算処理装置１４により、写真処理装置の全体的な制御を行うようにもなっている。
【００１６】
前記モニター１０には、ブラウン管モニター或いは液晶モニターを採用することができ、本実施形態においてはブラウン管モニターが採用されている。また、入力手段１１には、キーボード１１０とマウス１１１とが採用されている。
【００１７】
該フィルムスキャナー１３は、写真フィルムＦを長手方向に搬送しつつ、写真フィルムＦから画像を読み取ることができ、本実施形態においては、写真フィルムＦに形成された複数の駒画像のそれぞれを独立した画像として読み取る「駒画像モード」と、長尺な写真フィルムＦの全体を画像として読み取る「ベタ焼きモード」とに切り替え可能になっている。なお、ベタ焼きモードの対象は、２４０フィルム及び１３５フィルムの何れであってもよいが、本実施形態においては、公共事業等で一般的に使用される図３に示した１３５フィルムが対象となっている。なお、図３においては、先端側及び後端側の部分に未撮影の部分（以下、未撮影領域という。）Ｎｐが形成された１３５フィルム（写真フィルム）Ｆを示しており、駒画像Ｋについては１〜２４の番号を付して各駒画像Ｋの具体的な画像を省略して示している。
【００１８】
該フィルムスキャナー１３は、駒画像モードに設定した場合、写真フィルムＦを長手方向に往復搬送し、往方向に写真フィルムＦを搬送した際に、写真フィルムＦの駒画像Ｋ及び該駒画像Ｋ間の白抜き部分を読み取り、駒画像Ｋと白抜き部分との濃淡によりプリント出力の対象として各駒画像Ｋを特定すると共に、駒画像Ｋに対する色補正値等の情報を取得するプレスキャニングを行い、復方向に写真フィルムＦを搬送した際に、プレスキャニングで得た補正値（スキャナー演算用のデータ）で濃度補正や色補正等が施される駒画像Ｋを読み取る本スキャニングを行うようになっている。
【００１９】
一方、ベタ焼きモードを選択した場合、長尺な写真フィルムＦの画像をそのまま（実際の写真フィルムＦと同じ形態）で出力するモード（ロングピースモード）と、ピースネガの如く写真フィルムＦを所定の長さで複数に分割した帯状画像を並列に配置して出力するモード（ショートピースモード）とに切り替えることができるようになっている。そして、ロングピースモード及びショートピースモードの何れにおいても、写真フィルムＦから画像を読み取るに際し、写真フィルムＦを長手方向に往復搬送し、往方向に写真フィルムＦを搬送した際に、写真フィルムＦの駒画像Ｋ及び該駒画像Ｋの周辺部の白抜き部分を読み取って色補正や濃淡補正等のスキャナー演算で使用する画像を特定し、該画像から色補正値等を取得すると共に、各駒画像Ｋの配置位置（駒画像Ｋの存在しない位置）を特定するプレスキャニングを行い、復方向に写真フィルムＦを搬送した際に、プレスキャニングで得た補正値（スキャナー演算用のデータ）で濃度補正や色補正等が施される駒画像Ｋを読み取る本スキャニングを行うようになっている。
【００２０】
該フィルムスキャナー１３は、帯状の３５ｍｍフィルム（１３５フィルム：写真フィルムＦ）、及びＡＰＳ（アドバンスト・フォト・システム）フィルムのカートリッジ内に収納された帯状のフィルム（２４０フィルム：写真フィルム）に形成された駒画像Ｋを読み取ることができるようになっている。なお、以下の説明において、１３５フィルムと２４０フィルムを総称して写真フィルムという。
【００２１】
該フィルムスキャナー１３の具体的な構成について説明すると、本実施形態にかかるフィルムスキャナー１３は、図４に示す如く、写真フィルムＦを長手方向に搬送する搬送部１３０と、搬送部１３０によって搬送される写真フィルムＦに形成された駒画像Ｋを読み取る撮像部１３１と、撮像部１３１で画像が読み取られた写真フィルムＦを巻き取る巻取部１３２とを備えている。なお、前記搬送部１３０、撮像部１３１、及び巻取部１３２は、ケーシング１５０（図１参照）内に収容されているが、図４においては、ケーシング１５０を取り外した状態を示している。
【００２２】
前記搬送部１３０は、上部本体１３３と下部本体１３４とが密接して上下に対向配置されて構成されており、該上部本体１３３と下部本体１３４とは、図５に示す如く、一端同士が枢着されて開閉可能となっている。上部本体１３３と下部本体１３４との間には、１３５フィルムを搬送する第一レーンＲ１及び２４０フィルムを搬送する第二レーンＲ２が形成されている。前記上部本体１３３及び下部本体１３４は、第一レーンＲ１及び第二レーンＲ２のそれぞれにおいて写真フィルムＦの圧着搬送する搬送ローラ１３５が内装されており、第一レーンＲ１及び第二レーンＲ２のそれぞれにおいて写真フィルムＦを長手方向に搬送できるようになっている。
【００２３】
また、該搬送部１３０は、搬送中の写真フィルムＦを撮像部１３１によって画像として取り込むための撮像領域Ｓａが形成されている。該撮像領域Ｓａは、写真フィルムＦの搬送方向と直交する方向に延びる貫通したスリット１３６，１３７が、第一レーンＲ１及び第二レーンＲ２のそれぞれに対応するように上部本体１３３及び下部本体１３４に形成されることで構成されている。なお、図５において、上部本体１３３に形成されたスリットは隠れている。ベタ焼きプリントの対象となる１３５フィルムを搬送する第一レーンＲ１のスリット１３６は、写真フィルムＦの幅と略同一又はやや長めに長さが設定されると共に、後述する撮像素子における読み取り領域よりやや広めの幅に設定されており、前記ベタ焼きモードにおいて、駒画像Ｋの形成されていないパーフォレーション等が形成された領域を含んで写真フィルムＦの幅方向全体を読み取れるようになっている。
【００２４】
また、該搬送部１３０は、第一レーンＲ１及び第二レーンＲ２のそれぞれに、写真フィルムＦが挿入されたことを検知するセンサー（図示しない）が設けられており、そのセンサーの検知結果に基づき、撮像部１３１が写真フィルムＦを撮像できる状態となるようになっている。そのため、該センサーは、撮像領域Ｓａの上流側（各レーンにおける写真フィルムＦの挿入口近傍）に設けられている。なお、前記第二レーンＲ２の最上流には、２４０フィルム（ＡＰＳフィルム）のカートリッジが装填される装填部１５１が設けられている。該装填部１５１は、装填したカートリッジから引き出した写真フィルムＦを第二レーンＲ２の挿入口から該第二レーンＲ２に挿入できるように配置されている。
【００２５】
巻取部１３２は、第一レーンＲ１及び第二レーンＲ２のそれぞれに対して設けられており、搬送部１３０で搬送されてくる写真フィルムＦ（プレスキャニングされた写真フィルムＦ）を先端側から巻き取り、その巻き取った写真フィルムＦを本スキャニングを行う際に引き出せるように構成されている。即ち、該巻取部１３２は、長尺な写真フィルムＦを処理するに当たり、写真フィルムＦが無造作に排出されてしまうのを防止すると共に、本スキャンニング時における円滑な写真フィルムＦの供給を行えるように設けられている。
【００２６】
前記撮像部１３１は、図６に示す如く、前記搬送部１３０で搬送される写真フィルムＦに形成された駒画像Ｋを読み取る撮像手段１３８と、該撮像手段１３８による画像の読み取りを確実にすべく、搬送中の写真フィルムＦに光を照射する光源１３９と、撮像手段１３８及び光源１３９を連結して支持する連結フレーム１４０とで構成されている。
【００２７】
前記撮像手段１３８は、ライン状に形成した撮像素子（ＣＣＤ）が採用されている。本実施形態において、ダイクロイックミラー１４１及び光学系レンズ１４２を介して搬送中の写真フィルムＦの像を撮像素子に導くように構成されている。
【００２８】
前記光源１３９は、発光素子（発光ダイオード）が採用されており、搬送部１３０（スリット１３６，１３６，１３７，１３７）の下方に配置されている。本実施形態においては、撮像素子１３８と同様に、ダイクロイックミラー１４３及び光学系レンズ１４４により、光源１３９からの光を搬送部１３０のスリット１３６，１３６，１３７，１３７を介して搬送中の写真フィルムＦに照射できるように構成されている。
【００２９】
前記光源１３９は、搬送部１３０における写真フィルムＦの搬送方向と略直交（交差）する方向に往復動可能に構成された連結フレーム１４０を介し、搬送部１３０の上方に配置された撮像手段１３８に連結されている。このように連結フレーム１４０を往復移動可能にすることで、撮像手段１３８及び光源１３９が、第一レーンＲ１及び第二レーンＲ２のそれぞれのスリット１３６，１３６，１３７，１３７（撮像領域Ｓａ）に対応した位置に移動できるようになっており、第一レーンＲ１のスリット１３６，１３６から透過する像（１３５フィルム）の撮像と、第二レーンＲ２のスリット１３７，１３７から透過する像（２４０フィルム）の撮像とを切り替え可能になっている。
【００３０】
図２に戻り、演算処理装置１４は、ＣＰＵ１４５、ＲＯＭ１４６、ＲＡＭ１４７等が制御基板上にマウントされることにより構成され、本実施形態において、前記モニター１０、入力手段１１（キーボード１１０、マウス１１１）、メディアドライブ１２は、Ｉ／Ｏインターフェイス１４８を介して演算処理装置１４（ＣＰＵ１４５）に接続されている。
【００３１】
該演算処理装置１４は、フィルムスキャナー１３で読み取った写真フィルムの全長に亘る画像に対する出力画像を作成するように構成されており、本実施形態においては、写真処理装置における全ての処理を制御するようにも構成されている。なお、出力画像の作成については、詳細に後述することとする。
【００３２】
前記プリント処理部２は、画像処理部１からの情報に基づいて、記録媒体としてのペーパーＰに露光処理を施す露光処理部２０と、該露光処理部２０で露光処理されたペーパーＰを現像処理する現像処理部２１と、該現像処理部２１で現像処理されたペーパーＰを乾燥処理する乾燥処理部２２とで構成されている。
【００３３】
前記露光処理部２０は、ロール状にされた長尺なペーパーＰを収納するマガジン２００と、該マガジン２００から引き出されたペーパーＰを所定サイズに切断する切断装置２０１と、該切断装置２０１によって所定サイズに切断されて枚葉状になったペーパーＰ、又は、マガジン２００から引き出された長尺なペーパーＰに露光処理を施す露光ユニット２０２とを備えている。なお、該露光処理部２０は、各装置２００，２０１，２０２間に複数のローラ対２０３が配設されており、ペーパーＰを下流側（前記現像処理部２１）に向けて搬送できるようになっている。
【００３４】
前記マガジン２００は、露光処理部２０（筐体）内の下部に設けられており、該マガジン２００には、一方の面を内側（乳剤面を外側）に位置させるようにロール状にされた長尺なペーパーＰが軸回りに回転可能で且つ引き出し可能に収納されている。
【００３５】
前記切断装置２０１は、露光処理部２０内の下部に配置されたマガジン２００の下流側に設けられている。該切断装置２０１は、互いに接離する一対のカッターを備えており、マガジン２００から引き出されたペーパーＰを切断して、長尺なペーパーＰを所定サイズにできるようになっている。
【００３６】
前記露光ユニット２０２は、露光処理部２０内の上部に設けられており、搬送中のペーパーＰの乳剤面を露光する露光ヘッド２０４と、該露光ヘッド２０４がペーパーＰの乳剤面を露光する露光領域を挟んでペーパーＰの搬送方向の上流側及び下流側（上下方向）のそれぞれに設けられた露光用搬送ローラ対２０５とで構成されている。
【００３７】
前記露光ヘッド２０４は、ハロゲンランプ等からなる光源２０６と、該光源２０６に光ファイバー束２０７を介して接続された光シャッター２０８とで構成されており、該光シャッター２０８は、ペーパーＰの搬送方向と直交したライン状をなし、搬送されるペーパーＰの乳剤面と対向するように設けられている。
【００３８】
前記光シャッター２０８は、チタン酸ジルコン酸鉛にランタンを添加することにより得られる透光性電圧セラミックス、いわゆるＰＬＺＴで構成されており、該ＰＬＺＴは、所定レベルの電圧が印加されると光を透過させ得る状態となる一方、電圧の印加が停止されると光を遮断する性質を有している。つまり、光シャッター２０８は、画像データに基づいて、画像処理部１のＣＰＵ１４５から電圧の印加、及び印加の停止が指示され、光源１３９からの光の透過及び遮断が制御されてペーパーＰにＲＧＢ各色の光を照射して露光し得るように構成されている。
【００３９】
前記現像処理部２１は、現像処理液が貯留される液槽２１０と、該液槽２１０内の現像処理液に対してペーパーＰを浸漬して引き上げる動作を繰り返すように、ペーパーＰを搬送する搬送系２１１とを備えている。
【００４０】
搬送系２１１は、複数の搬送ローラ対が間隔を有して配置されることで、連続したＳ字状の搬送経路を形成しており、ペーパーＰを搬送ローラ対の配置（Ｓ字状の搬送経路）に沿って搬送し、該ペーパーＰを現像処理液に対して浸漬と引き上げとを行って現像処理を行えるようになっている。
【００４１】
前記乾燥処理部２２は、現像処理部２１から送られてきたペーパーＰを搬送する搬送系２２０と、該搬送系２２０によって搬送されるペーパーＰに向けて熱風を吹き付ける熱風発生装置２２１とを備えており、該ペーパーＰを乾燥させつつ下流側（回収部３）に向けて送り出せるようになっている。
【００４２】
前記回収部３は、図１及び図２に示す如く、前記乾燥処理部２２で乾燥処理されたペーパーＰをサイズ毎に振り分ける振分装置３０と、該振分装置３０で振り分けたペーパーＰをオーダー毎に仕分ける仕分装置３１とで構成されている。
【００４３】
前記振分装置３０は、乾燥処理部４から搬送されてくるペーパーＰの大小を検知するセンサー（図示しない）の検知結果に基づいて傾動し、ペーパーＰの搬送経路を切り替える振分板３２を備えており、センサーがサイズの小さなペーパーＰを検知した場合に、振分板３２が略水平を維持してペーパーＰを下流側（後述するコンベア３３）に搬送し、センサーがサイズの大きなペーパーＰを検知した場合に、振分板３２が傾動して下流側に配設されたトレー３４にペーパーＰを排出するようになっている。
【００４４】
前記仕分装置３１は、振分装置３０から搬送されてきたペーパーＰの搬送方向を変更してペーパーＰを下流側に搬送するコンベア３３と、該コンベア３３によって搬送されてきたペーパーＰをオーダー毎に仕分ける仕分機構（図示しない）とを備えている。該仕分機構は、上下方向に移動可能に配設された複数の受皿３５…を備えており、該受皿３５…が上下方向に移動することで、コンベア３３によって搬送されてくるペーパーＰを各受皿３５…にオーダー毎に振り分けるようになっている。
【００４５】
本実施形態に係る写真処理装置は、以上の構成からなり、次に、本実施形態にかかる写真処理装置の作動を説明する。なお、写真フィルムＦの駒画像Ｋのみの読み取り（駒画像モード）については、１３５フィルム及び２４０フィルムの基本的に同じであるので、以下の説明において、写真フィルムＦの画像の取り込みについては、駒画像モード及びベタ焼きモードの何れも実行される１３５フィルムの処理を代表として説明する。
【００４６】
まず、駒画像モードでの処理について概略説明すると、最初にメディアＭ、或いは写真フィルムＦから画像を取り込む。メディアＭから画像を取り込む場合、一般的な操作でメディアドライブ１２を介してメディアＭから画像データを読み込むことにより行われる。一方、写真フィルムＦから画像の取り込む場合、写真フィルムＦをフィルムスキャナー１３の第一レーンＲ１に挿入すると、搬送系（搬送ローラ１３５，１３５…）が駆動し、写真フィルムＦが長手方向に搬送される。そして、第一レーンＲ１の撮像領域Ｓａに写真フィルムＦが到達すると、該写真フィルムＦは搬送系（搬送ローラ１３５，１３５…）によって搬送されつつ撮像素子１３８によって写真フィルムＦが撮像される。これにより、写真フィルムＦの駒画像Ｋが順々に撮像され、駒画像Ｋ毎の画像データが独立して得られる（記憶される）。
【００４７】
そして、プリント処理を実行させると、マガジン２００からペーパーＰが引き出されて切断装置２０１に送り込まれ、所定位置で該ペーパーＰが切断され、枚葉状のペーパーＰが作成される。そして、そのペーパーＰは、更に下流側に搬送され、露光ユニット２０２の露光領域に送り込まれ、下流側に搬送されつつ露光処理が行われる。該駒画像モードにおいては、写真フィルムＦの各駒画像Ｋが独立した画像として読み取られているので、露光ユニット２０２は、駒画像Ｋの画像データに基づいて、枚葉状をなす一枚のペーパーＰに対して一つの画像（駒画像Ｋ）を形成するように作動する。そして、露光処理されたペーパーＰは、現像処理部２１に送られ、現像液に対する浸漬と引き上げにより画像が形成された後、乾燥部にて乾燥処理された後に回収部３で回収されることになる。
【００４８】
次に、ベタ焼きモードでの処理について説明する。ベタ焼きモードで得られるベタ焼きプリントは、公共工事等の現場を撮影した写真フィルム（ネガフィルム）Ｆ全体をプリントし、その写真フィルムＦを基に出力したプリントが改ざん等のされていないものである旨を証明するものであるので、画像の取り込みは、図３に示す写真フィルムＦ全体、即ち、駒画像Ｋの存在の有無に関係なく、写真フィルムＦにおける駒画像Ｋの形成された領域、パーフォレーションが形成された領域、未撮影の部分（未撮影領域）等の全ての領域が対象となる。
【００４９】
まず、写真フィルムＦからの画像の取り込みについて説明すると、写真処理装置をベタ焼きモードに設定し、写真フィルムＦをフィルムスキャナー１３の搬送部１３０（第一レーンＲ１）に、先端側から挿入する。そうすると、該写真フィルムＦの先端が搬送部１３０内のセンサーが検知し、写真フィルムＦが撮像領域Ｓａに到達したときに写真フィルムＦの先端から撮像でき、且つ写真フィルムＦの長手方向における濃淡の識別を行えるように撮像部１３１が待機状態となる。
【００５０】
そして、写真フィルムＦが長手方向に搬送され、撮像領域Ｓａに到達するとスリット１３６，１３６を介して写真フィルムＦの全幅が先端から後端に亘って順々に読み取られ、一本の写真フィルムＦ全体の画像が画像データとしてＲＡＭ１４７に記憶される。
【００５１】
前記ロングピースモードでプリント出力する場合、マガジン２００からペーパーＰが引き出され、切断されることなく、そのまま露光ユニット２０２の露光領域まで搬送され、ＲＡＭ１４７に記憶された長尺な写真フィルムＦの画像についての画像データを基に順々に露光処理される。即ち、ロングピースモードでプリント出力する場合、演算処理装置１４は、出力する画像（出力画像）を作成するに当たり、フィルムスキャナー１３で読み取った写真フィルムＦの全長に亘る画像（ＲＡＭ１４７に記憶した画像）を出力画像として取り扱い、露光ユニット２０２は、該出力画像の画像データを基にペーパーＰに対して露光処理を行う。そして、写真フィルムＦの後端までの画像について露光処理できるようになると、切断装置２０１が作動してペーパーＰを切断することになる。そして、露光処置されたペーパーＰは、現像処理部２１に送られ現像液に対する浸漬と引き上げによって画像が形成されることになる。その後、乾燥処理部２２に送られて乾燥処理された後、回収部３（トレー３４）にて、図７に示す如く、長尺な写真フィルムＦの出力画像Ｘが形成された長尺なプリント（長尺ベタ焼きプリント）Ａ１が回収されることになる。
【００５２】
なお、このロングピースモードでプリント出力する場合、写真フィルムＦとペーパーＰの長手方向が一致するように、ペーパーＰに対して出力画像（写真フィルムＦの画像）Ｘが形成されるので、ペーパーＰ上に形成された出力画像Ｘは、変倍されることなく、実物の写真フィルムＦと同一のサイズになっている。即ち、ペーパーＰの幅は、写真フィルムＦの幅よりも広いのが通常であり、長手方向を一致させるようにすれば、写真フィルムＦの画像は変倍しなくても１００％のサイズでペーパーＰに出力画像Ｘを形成できるため、このロングピースモードでは出力画像の変倍を行われていない。但し、変倍することが要求される場合には、実際の写真フィルムＦに対して相似するように、縦横比を一定にして変倍した出力画像にしてプリント出力するようにしても勿論よい。
【００５３】
一方、ショートピースモードでプリント出力する場合、図８に示す如く、作業者が写真フィルムＦの画像をピースネガの如く分割すべく、所望する長さ（例えば、ネガホルダーに収容される六コマの駒画像Ｋを含んだピースネガと同じ長さ）を入力手段１１によって入力する（Ｓ１０）。なお、プリント出力するに際し、ペーパーＰに形成される出力画像はペーパーＰサイズに対応して拡大、又は縮小（変倍）された状態で形成されるが、作業者が入力する長さ（数値）は、実際の写真フィルムＦを基準にした長さで入力できるようになっている。
【００５４】
そして、写真フィルムＦの画像（実際の写真フィルムＦ）の長さと入力された長さとが演算処理装置１４によって比較される（Ｓ２０）。この際、作業者によって実際の写真フィルムＦを基準にした長さが入力されるが、出力画像がペーパーＰのサイズに対応して変倍される場合、長さの比較等は、実際の写真フィルムＦに対する長さを基準にして行われ、それによって得られた出力画像をペーパーＰのサイズに対応させて変倍するようになっている。
【００５５】
そして、写真フィルムＦ（画像）の長さが入力された長さがよりも短い場合（Ｓ２０でＮＯ）、その写真フィルムＦの画像が、出力画像としてＲＡＭ１４７に記憶される（Ｓ１２０）。即ち、写真フィルムＦ（画像）の長さが入力された長さがよりも短い場合（Ｓ２０でＮＯ）、演算処理装置１３は、出力画像を作成するに当たり、その写真フィルムＦの画像（一本の帯状画像）を出力画像として取り扱い、該出力画像がＲＡＭ１４７に一時的に記憶される（Ｓ１２０）。そして、その画像データを基にプリント処理部２でプリント出力され（Ｓ１１０）、図９（イ）に示す如く、一本の帯状画像（出力画像）Ｙが形成されたプリントＡ２が得られることになる。
【００５６】
図８及び、図１０（イ）に示す如く、写真フィルムＦ（画像）の長さＬａが入力された長さＬｂよりも長い場合（Ｓ２０でＹＥＳ）、写真フィルムＦの先端Ｔを基準にして、その先端Ｔから入力された長さＬｂに対応する位置を仮の分断位置ＣＰ１として設定し（Ｓ３０）、その仮の分断位置ＣＰ１に駒画像Ｋが存在するか否かが判断される（Ｓ４０）。そして、その仮の分断位置ＣＰ１に駒画像Ｋが存在しないと判断される（Ｓ４０でＮＯ）と、その仮の分断位置ＣＰ１が正規の分断位置ＣＰSET として設定され（Ｓ１３０）、先端Ｔから正規の分断位置ＣＰSET までの写真フィルムＦの画像が帯状画像Ｚ１（図９（ロ）参照）として切り出され（Ｓ７０）、該帯状画像Ｚ１は、アドレスが付された上で一時的にＲＡＭ１４７に記憶される（Ｓ８０）。なお、アドレスは帯状画像Ｚ１〜Ｚ５の切り出された順に付されるようになっている。
【００５７】
一方、その仮の分断位置ＣＰ１に駒画像Ｋが存在すると判断された場合（Ｓ４０でＹＥＳ）、図８及び図１０（ロ）に示す如く、その分断位置ＣＰ１と重なる駒画像Ｋに対して先端Ｔ側で隣接する別の駒画像Ｋを検索する（Ｓ５０）。この駒画像Ｋの検索は、各駒画像Ｋとその周辺の白抜き部分との濃淡等の差により、駒画像Ｋの形成領域と非形成領域とを判断することにより行われる。そして、検索の結果、隣接する駒画像Ｋが見つけ出されると、仮の分断位置ＣＰ１と重なる駒画像ＫとＳ５０で探し出した駒画像Ｋとの間が正規の分断位置ＣＰSET として再設定される（Ｓ６０）。
【００５８】
そして、先端Ｔから正規の分断位置ＣＰSET までの写真フィルムＦの画像が帯状画像Ｚ１（図９（ロ）参照）として切り出され（Ｓ７０）、その帯状画像Ｚ１は、アドレスが付された上で一時的にＲＡＭ１４７に記憶される（Ｓ８０）。そして、帯状画像Ｚ１が切り出されても残存する写真フィルムＦが存在するか否かが判断され（Ｓ９０）、写真フィルムＦが残存すると判断された場合（Ｓ９０でＹＥＳ）、その残存する写真フィルムＦの長さＬａ’が入力した長さＬｂよりも長いか否かが判断される（Ｓ１５０）。
【００５９】
そして、入力した長さＬｂよりも残存する写真フィルムＦ（画像）の長さＬａ’が長い場合（Ｓ１５０でＹＥＳ）、その写真フィルムＦの先端Ｔから入力した長さＬｂに対応した位置を仮の分断位置ＣＰ１として設定し（Ｓ３０）、上述の場合と同様に、その仮の分断位置ＣＰ１に駒画像Ｋが存在するか否かが確認される（Ｓ４０）。そして、その仮の分断位置ＣＰ１に駒画像Ｋが存在しないと判断される（Ｓ４０でＮＯ）と、その仮の分断位置ＣＰ１が正規の分断位置ＣＰSET として設定される（Ｓ１３０）（図１０（イ）及び図１０（ロ）参照）。そして、先端Ｔから正規の分断位置ＣＰSET までの写真フィルムＦの画像が帯状画像Ｚ２（図９（ロ）参照）として切り出され（Ｓ７０）、その帯状画像Ｚ２は、アドレスが付された上で一時的にＲＡＭ１４７に記憶される（Ｓ８０）。
【００６０】
その一方で仮の分断位置ＣＰ１に駒画像Ｋが存在すると判断される（Ｓ４０でＹＥＳ）と、先に説明した通り、該仮の分断位置ＣＰ１と重なる駒画像Ｋに対して先端Ｔ側で隣接する別の駒画像Ｋを検索し（Ｓ５０）、検索の結果、隣接する駒画像Ｋが見つけ出されると、仮の分断位置ＣＰ１と重なる駒画像ＫとＳ５０で探し出した駒画像Ｋとの間が正規の分断位置ＣＰSET として再設定される（Ｓ６０）。そして、残存する写真フィルムＦ（画像）の先端Ｔから正規の分断位置ＣＰSET までの写真フィルムＦの画像が帯状画像Ｚ２（図９（ロ）参照）として切り出され（Ｓ７０）、その帯状画像Ｚ２は、アドレスが付された上で一時的にＲＡＭ１４７に記憶される（Ｓ８０）。
【００６１】
一方、Ｓ１５０において残存する写真フィルムＦの長さＬａ’が入力した長さよりも短いと判断された場合（Ｓ１５０でＮｏ）、その残存する写真フィルムＦの画像は、アドレスが付された上で帯状画像Ｚ２として一時的にＲＡＭ１４７に記憶される（Ｓ１００）。
【００６２】
そして、残存する写真フィルムＦが無くなるまで上述の工程が繰り返し行われ、その後、ＲＡＭ１４７に記憶された帯状画像Ｚ１〜Ｚ５がアドレス順、即ち、切り出された順で並列に並べられた出力画像Ｚ（図９（ロ）参照）が作成される（Ｓ１００）。
【００６３】
即ち、ショートピースモードでプリント出力する場合、演算処理装置１４は、予め入力した長さＬｂを基準に、フィルムスキャナー１３で読み取った写真フィルムＦの全長に亘る画像を先端側から分断して複数の帯状画像Ｚ１〜Ｚ５として切り出すと共に、該複数の帯状画像Ｚ１〜Ｚ５を配列して出力画像Ｚを作成する。その際、演算処理装置１４は、フィルムスキャナー１３で読み取った写真フィルムＦの画像に対する分断位置ＣＰ１に駒画像Ｋが存在するか否かを判断し、分断位置ＣＰ１に駒画像Ｋが存在すると判断した場合に、該駒画像Ｋに対して写真フィルムの先端側で隣接する駒画像Ｋとの間を分断位置ＣＰSETに設定し、駒画像Ｋが分断されていない帯状画像Ｚ１〜Ｚ５が配列された出力画像Ｚを作成する。
【００６４】
そして、作成された出力画像Ｚの画像データを基に、プリント処理が行われる。この場合、出力画像Ｚは、写真フィルムＦが分割された複数の帯状画像Ｚ１〜Ｚ５が並列に配設されたものであるので、ロングピースモードとは異なり、マガジン２００から引き出されたペーパーＰは、その出力画像Ｚを形成できるサイズになるように、切断装置２０１で所定の長さに切断され、枚葉状のペーパーＰに対して露光ユニット２０２及び現像処理部２１にて露光処理と現像処理が施され、ペーパーＰに出力画像Ｚが形成される。この場合において、現像処理されたペーパーＰは、乾燥処理部２２で乾燥処理された後、回収部３で回収されることになる。
【００６５】
従って、このベタ焼きプリントモードのショートピースモードでプリント出力されたプリント（ベタ焼きプリント）は、図９（ロ）に示す如く、駒画像Ｋが一切分断されていない複数の帯状画像Ｚ１〜Ｚ５が並列に配列され、アナログプリントのベタ焼きプリントと同様に、ピースネガをネガホルダーに収容したのと全く同じ態様の出力画像Ｚが形成されたベタ焼きプリントＡ３が得られることになる。
【００６６】
以上のように、本実施形態に係る写真処理装置は、画像処理部１の読取手段としてのフィルムスキャナー１３が、写真フィルムＦの幅方向の読み取り領域が駒画像Ｋより広い領域に設定されているので、写真フィルムＦのパーフォレーションまでも含んだ帯状画像Ｘ，Ｙ，Ｚを得ることができる。その上、フィルムスキャナー１３は、写真フィルムＦの先端Ｔから後端の全長に亘って連続した画像として読み取るように構成されているので、例えば、先端Ｔ側の一部や後端側の一部に駒画像Ｋの形成されていない未撮影部分Ｎｐがあっても、それらの部分Ｎｐも画像として読み取ることができる。その上、フィルムスキャナー１３で読み取った写真フィルムＦの全長に亘る画像に対する出力画像Ｘ，Ｙ，Ｚを作成するように構成された演算処理装置１４を備えているので、出力画像Ｘ，Ｙ，Ｚを基に、写真フィルムＦ一本分の画像をプリント出力することで、アナログプリントで得られるベタ焼きプリントと同じく証明に利用することのできる写真プリントを得ることができる。
【００６７】
また、画像処理部（画像処理装置）１は、フィルムスキャナー１３で読み取った画像を、予め入力した長さを基準にして写真フィルムＦの先端側から複数の帯状画像Ｚ１〜Ｚ５として切り出すと共に、その帯状画像Ｚ１〜Ｚ５を配列して出力画像Ｚを作成する演算処理装置１４を備えているので、上述の如く未撮影部分Ｎｐと駒画像Ｋとを含む帯状画像Ｚ１，Ｚ５と、駒画像Ｋが配列された帯状画像Ｚ２〜Ｚ４とが配列された出力画像Ｚを得ることができる。従って、出力画像Ｚは、アナログプリントにより得られるベタ焼きプリントと同じ態様のものとなるので、該出力画像Ｚのデータを活用して出力画像をプリント出力すれば、デジタルプリントであってもベタ焼きプリントの如くプリントを得ることができる。
【００６８】
そして、前記演算処理装置１４は、フィルムスキャナー１３で読み取った画像に対する分断位置ＣＰ１が、駒画像Ｋの領域内に位置するか否かを判断可能に構成され、分断位置ＣＰ１が駒画像Ｋの領域内に位置する場合に、該駒画像Ｋに対して写真フィルムＦの先端側で隣接する駒画像Ｋとの間を正規の分断位置ＣＰSET に設定するように構成されているので、駒画像Ｋが途中で切断されることがなく、駒画像Ｋを躱して写真フィルムＦを切断することで形成されたピースネガと同様に各帯状画像Ｚ１〜Ｚ２を形成することができる。
【００６９】
さらに、フィルムスキャナー１３で読み取った写真フィルムＦの先端から後端の全長に亘る画像データをメディア（記憶媒体）に記憶するメディアドライブ（記憶装置）を備えているので、証明用の写真プリント（ベタ焼きプリント）が要求された場合、いわゆる紙出力での提供とメディアＭでの提供も可能となる。また、メディアＭに記憶される画像データは、写真フィルムＦの先端から後端の全長に亘る生データであるので、信頼性の高い証明用の画像のデータとして活用することができる。
【００７０】
尚、本発明の画像処理装置は、上記実施形態に限定されるものではなく、本発明の要旨を逸脱しない範囲内において種々変更を加え得ることは勿論である。
【００７１】
上記実施形態において、ペーパーＰに対して露光・現像処理を施すプリント手段を採用したが、プリント手段は、これに限定されるものではなく、例えば、インクジェットプリンタ等のプリント装置を採用しても勿論よい。
【００７２】
上記実施形態において、画像処理装置としての画像処理部１をプリント出力可能な写真処理装置の一構成としたが、これに限定されるものではなく、例えば、画像処理装置を単独の装置として構成するようにしてもよい。このようにして、当該画像処理装置から得られる出力画像を基に、別途設けられたプリント手段で出力することで、アナログプリントによるベタ焼きプリントの如く証明用のプリントとして出力することができる。
【００７３】
上記実施形態において、駒画像モードと、ベタ焼きプリントモードとを切り替え可能に構成したが、これに限定されるものではなく、例えば、ベタ焼きプリントモードを基本に、当該モードで取り込んだ画像から、駒画像Ｋを抽出するようにし、各駒画像Ｋのプリントを出力すると共に、ベタ焼きプリントを出力するようにしてもよい。
【００７４】
上記実施形態のベタ焼きプリントモードにおいて、フィルムスキャナー１３で読み取った画像を切り出すに際し、分断位置ＣＰ１が駒画像Ｋと重なっている場合に、駒画像Ｋを躱した分断位置ＣＰSET に変更するようにしたが、これに限定されるものではなく、読み取った写真フィルムＦの画像を先端を基準に入力した長さ毎に分断して複数の帯状画像を作成し、これらを並列に配置することで出力画像を形成するようにしてもよい。このようにしても、複数の帯状画像は分断されているものの、写真フィルムＦ全体が画像としてペーパーＰに表示されているので、アナログプリントのベタ焼きプリントの如く、公共工事等において証明用に用いることは可能である。但し、ピースネガとの比較において、ピースネガをネガホルダーに収容したのと同一の態様で出力画像を作成することが好ましい。
【００７５】
上記実施形態のベタ焼きプリントモードにおいて、出力するプリントの形態をロングピースモードとショートピースモードとに選択可能に構成したが、これに限定されるものではなく、ロングピースモード又はショートピースモードの何れか一方で出力できるようにすればよい。但し、プリントの保管等の観点から、少なくともショートピースモードで出力できるように構成することが好ましい。
【００７６】
上記実施形態のベタ焼きモードのショートピースモードにおいて、予め写真フィルムＦの画像を読み取っておき、その画像データで出力画像Ｘ，Ｙ，Ｚを作成するに際して切出長さを入力するようにしたが、これに限定されるものではなく、例えば、事前に切出長さを入力しておき、フィルムスキャナー１３で写真フィルムＦを読み取る際に、上述の如く、分断位置ＣＰSET を特定して帯状画像Ｚ１〜Ｚ５を順々に作成するようにしてもよい。即ち、フィルムスキャナー１３での画像の読み取りと、出力画像Ｚの作成とを平行処理するようにしてもよい。
【００７７】
上記実施形態のベタ焼きモードのショートピースモードにおいて、切り出した帯状画像Ｙ，Ｚ１〜Ｚ５をＲＡＭ１４７に一時的に記憶した後に、プリント処理するようにしているが、その画像データを基にプリント処理すると共に、メディアドライブ１２を介してメディアＭにデータとして記憶するようにしたり、プリント処理することなく、メディアＭに得られたデータを記憶させるようにしたりしてもよい。また、データの記憶は、メディアＭを介して行うものに限定されるものではなく、例えば、画像処理部１に記憶手段としてのハードディスク等を設け、このハードディスクにデータを長期的に記憶させるようにしてもよい。このようにしても、取得したベタ焼きモードでの出力画像Ｘ，Ｙ，Ｚを必要なときに活用することができる。
【００７８】
上記実施形態のベタ焼きモードにおいて、出力画像Ｙ，Ｚを変倍するに際し、写真フィルムＦの実際の寸法を基に、帯状画像Ｙ，Ｚ１〜Ｚ５を切り出した後、出力画像Ｙ，Ｚを変倍するようにしたが、これに限定されるものではなく、例えば、出力画像の変倍を考慮して、入力される長さは実際の長さ（実寸）で入力できるようにしておくと共に、読み取った写真フィルムＦの画像をペーパーＰのサイズに対応させて変倍しておき、作業者が入力した長さを変倍後の写真フィルムＦの画像の倍率に対応しせるように換算し、これを基に変倍された帯状画像Ｙ，Ｚ１〜Ｚ５を切り出すようにしてもよい。
【図面の簡単な説明】
【００７９】
【図１】本発明の一実施形態に係る写真処理装置の全体斜視図を示す。
【図２】同実施形態に係る写真処理装置の概略全体構成図を示す。
【図３】同実施形態に係る写真処理装置（画像処理部）で画像が読み取られる写真フィルムの一例であって、１３５ｍｍフィルムの平面図を示す。
【図４】同実施形態に係るフィルムスキャナーであって、ケーシングを取り外した状態の斜視図を示す。
【図５】同実施形態に係るフィルムスキャナーの搬送部の斜視図であって、上部本体を開いた状態を示す。
【図６】同実施形態に係るフィルムスキャナーの縦断面図であって、第一レーンを対象にした断面図を示す。
【図７】同実施形態に係る写真処理装置で出力したプリントの概略図であって、ベタ焼きモードのロングピースモードにより得られたプリントを示す。
【図８】同実施形態に係る写真処理装置のベタ焼きモードのショートピースモードにおける処理のフロー図を示す。
【図９】同実施形態に係る写真処理装置のベタ焼きモードのショートピースモードで得られたプリントの概略図であって、（イ）は、写真フィルムの長さが入力された長さよりも短い場合に得られたプリントを示し、（ロ）は、写真フィルムの長さが入力された長さよりも長い場合に得られたプリントを示す。
【図１０】同実施形態に係る写真処理装置のベタ焼きモードのショートピースモードの処理で、分断位置を設定する際の説明図であって、（イ）は、仮の分断位置に駒画像が存在しない場合を示し、（ロ）は、仮の分断位置に駒画像が存在する場合を示す。
【符号の説明】
【００８０】
１…画像処理部、２…プリント処理部、３…回収部、４…乾燥処理部、１０…モニター、１１…入力手段、１２…メディアドライブ（記憶手段）、１３…フィルムスキャナー、１４…演算処理装置、２０…露光処理部、２１…現像処理部、２２…乾燥処理部、３０…振分装置、３１…仕分装置、３２…振分板、３３…コンベア、３４…トレー、３５…受皿、１１０…キーボード、１１１…マウス、１３０…搬送部、１３１…撮像部、１３２…巻取部、１３３…上部本体、１３４…下部本体、１３５…搬送ローラ、１３６，１３７…スリット、１３８…撮像手段（撮像素子）、１３９…光源、１４０…連結フレーム、１４１，１４３…ダイクロイックミラー、１４２，１４４…光学系レンズ、１４８…Ｉ／Ｏ インターフェイス、１５０…ケーシング、１５１…装填部、２００…マガジン、２０１…切断装置、２０２…露光ユニット、２０３…ローラ対、２０４…露光ヘッド、２０５…露光用搬送ローラ対、２０６…光源、２０７…光ファイバー束、２０８…光シャッター、２１０…液槽、２１１…搬送系、２２０…搬送系、２２１…熱風発生装置、Ａ１，Ａ２，Ａ３…プリント、ＣＰ１…分断位置、ＣＰSET…分断位置、Ｆ…写真フィルム、Ｋ…駒画像、Ｍ…メディア（記憶媒体）、Ｎｐ…未撮影領域、Ｐ…ペーパー（記録媒体）、Ｒ１…第一レーン、Ｒ２…第二レーン、Ｓａ…撮像領域、Ｔ…先端、Ｘ，Ｙ，Ｚ（Ｚ１-Ｚ５）…出力画像（帯状画像）
【図１】
2006180107.tif 000003
【図２】
2006180107.tif 000004
【図３】
2006180107.tif 000005
【図４】
2006180107.tif 000006
【図５】
2006180107.tif 000007
【図６】
2006180107.tif 000008
【図７】
2006180107.tif 000009
【図８】
2006180107.tif 000010
【図９】
2006180107.tif 000011
【図１０】
2006180107.tif 000012